(57)【要約】      （修正有）【課題】メッセージ効果の大きいメッセージカードととのシステムを提供する。【解決手段】ユーザーが携帯電話等を用いてＷＥＢサイトに会員登録を行い、前記ＷＥＢサイトの会員となる。前記会員登録した該ユーザーは必要に応じ、前記携帯電話等を用いて動画を撮影し前記ＷＥＢサイトにアップロードし、メッセージカードの発送先を入力、前記アップロードと前記届け先の入力を基に、ＱＲコード（登録商標）を選択し、ＱＲカードを生成し、メッセージカード印刷、前記印刷されたメッセージカードは、該ユーザーに発送、前記メッセージカードを受け取った該ユーザーは知人等の誕生祝い等にあたり、花束やその他の贈答品に沿えて贈るが、前記メッセージカードを贈られた人は、携帯電話で前記ＱＲコードを読み込み、前記サイト内に構築されている該ユーザーのサイトを閲覧することができることを特徴とするメッセージカードとそのシステム。【選択図】図２
2010272099.tif 000002
【特許請求の範囲】
【請求項１】
ユーザーがＷＥＢサイトを介して、特定の指定先に臨場感溢れるメッセージ等を伝達するための媒体を備えた事を特徴とするメッセージの伝達システムとその媒体。
【発明の詳細な説明】
【技術分野】
【０００１】  本発明は、メッセージの伝達システムとその媒体に関する。
【背景技術】
【０００２】  従来、メッセージ等は通常、カード又は封書等文字による場合、又は電話等言葉や音声によって想いや、意思、又は要件等を伝えている。
又、必要に応じ、カードや封書等に、花や記念品、写真等の贈答品に添えたて、コミニュウケーションを図っている。
このため、メッセージを受け取る側では、贈り主の想いや状況、状態等を想像するのみで、臨場感に乏しかった。
従って、メッセージを贈る側の現状や現実、実感等を的確に伝え難く、特に、贈る側と贈られる側で感動等を共有することは極めて困難であった。
【発明の概要】
【発明が解決しようとする課題】
【０００３】  従って、本発明が解決しようとする課題は、贈り主の抱いている思いが、受け取る側に的確に伝わり、特に、感動や感激、又は、或る場面での共感等の感情を共有することができ、臨場感溢れるリアルなメッセージを明確、且つ、非公開状態で伝達することができると共に、そのメッセージを永続的に保存することも可能なメッセージの伝達システムとメッセージ媒体を提供することである。
【課題を解決するための手段】
【０００４】  本発明に依れば、ユーザーがＷＥＢサイトを介して、特定の指定先に臨場感溢れるメッセージ等を伝達するための媒体を備えたメッセージの伝達システムとその媒体である。
上記特定の指定先に臨場感溢れるメッセージ等を伝達するための媒体を備えたとは、メッセージを贈るユーザー（カード等依頼ユーザーという）がＷＥＢサイトにマイページを構築すると共に、伝達に必要な情報を入力することにより、サービスブロバイダーが前記マイページのＱＲコードを生成し、用紙等に印刷する。【０００５】  尚、前記用紙その他の媒体等（以下カード等という）の面に印刷されたＱＲコードは盗み見させないための遮蔽部材を剥離可能に設け、指定された受け取りユーザーに発送する。【０００６】  前記受け取りユーザーが携帯電話で前記ＱＲコードを読み取ることにより、前記マイページに自動接続され、前記カード等依頼ユーザーの臨場感溢れる前記動画メッセージを再生することができることである。
【発明の効果】
【０００７】  本発明によれば、カード等依頼ユーザーＡは携帯電話等を用いて感動や感謝又はその場の雰囲気などを動画撮影３し、アップロード５し、発送に必要な情報（カード等発送先指定）７を入力しマイページＭを構築する。【０００８】  サービスブロバイダーＢはＱＲコードを生成９し、カード等印刷作成１０し、発送指定先１１に発送する。【０００９】  カード等１７を受け取ったカード等受け取りユーザーＣは、カード等１７の面の遮蔽部材２０を剥離開封し、携帯電話で前記ＱＲコード１９を読み込むことにより、カード等依頼ユーザーＡの動画ＷＥＢサイトＷ内に構築されているマイページＭに自動的に接続され、動画ストリーミング再生１６される。【００１０】  この時、マイページＭには、カード等依頼ユーザーＡの体験又は創作により、感動や感謝又はその場の雰囲気などを動画として撮影した映像であるから、臨場感溢れ、感動やその他の感情はカード等受け取りユーザーＣに容易に伝わり、リアリティー溢れるメッセージの伝達システムと、その媒体を提供することができる。【００１１】  又、マイページＭはカード等受け取りユーザーＣのためにカード等依頼ユーザーＡが構築するものであるから、手書きの文章の如く、極めてオリジナル性の高いメッセージとすることもできる。【００１２】  更に、今までにないメッセージ伝達システムとその媒体であるから、カード等を贈られた人（カード等受け取りユーザーＣ）の受ける印象は新鮮であり、また、マイページＭのＵＲＬ、又は、ＱＲコードは非公開であるから、カード等１７を受け取った者のみの閲覧となる。【００１３】  又、マイページＭはカード等依頼ユーザーＡのパスワードによって保護されているから、ページの改ざんや、盗み見等のセキュリティーも守られるため、メッセージは思い切った内容にすることも可能と成り、おのずからカード等１７を贈る意味や効果も大きい。
【図面の簡単な説明】
【００１４】
【図１】  本発明のメッセージ伝達システムの概略を示す図である。
【図２】  本発明のメッセージの伝達システムを示すチャート図である。
【図３】  本発明のメッセージ媒体の本体を示す平面図である。
【図４】  本発明のメッセージ媒体に設ける遮蔽部材の平面図である。
【図５】  本発明のメッセージ媒体に遮蔽部材を貼着した状態を示す平面図である。
【図６】  本発明のメッセージ媒体と遮蔽部材の関係を示す側面図である。
【図７】  本発明の実施例１のメッセージ伝達システムの概略を示す図である。
【図８】  本発明の実施例１のメッセージの伝達システムを示すチャート図である。
【図９】  本発明の実施例１のメッセージ媒体の本体を示す平面図である。
【図１０】  本発明の実施例１のメッセージ媒体に設ける遮蔽部材の平面図である。
【発明を実施するための形態】
【００１５】以下、発明を実施するための形態をず図面に基づいて説明すると、図１は本発明のメッセージ伝達システムの概略を示す図、図２は本発明のメッセージの伝達システムを示すチャート図、図３は本発明のメッセージ媒体の本体を示す平面図、図４は、本発明のメッセージ媒体に設ける遮蔽部材の平面図で、図５は、本発明のメッセージ媒体に遮蔽部材を貼着した状態を示す平面図、図６は、本発明のメッセージ媒体と遮蔽部材の関係を示す側面図で、カード等依頼ユーザーＡはＷＥＢサイトＷにアクセスしＷＥＢサイト新規ユーザー登録１を開始、会員情報入力２を行うと会員登録２（ユーザー登録）完了する。
次に、携帯電話で動画撮影３、ＷＥＢユーザーログイン４、ユーザー動画投稿５（アップロード）５、カード等選択入力６、カード発送先指定７、カード等内容確認８を行う。
【００１６】  サービスブロバイダーＢは、カード等登録９の内容を確認し、ＱＲコードを生成９し、カード等印刷作成１０した後、郵便その他の手段によってカード等指定先発送１５する。
【００１７】  カード等受け取りユーザーＣは、カード指定先配達１２、によってカード等１７等を受け取り、カード等開封参照１３、ＱＲコード携帯読取１４、カード等依頼ユーザー動画ＷＥＢサイト（マイページＭ）に自動接続１５、動画ストリーミング再生される。
【００１８】  更に、カード等１７（図３）は適宜な大きさ及び形状からなり、メモ欄等の印刷を施してもよく、キャラクター又は適宜な絵柄を印刷することも可能で、サービスブロバイダーＢによってＱＲコード１９を施した後、ＱＲコード１９を完全に覆うように、遮蔽部材２０で剥離可能に貼着するとよく（図５）、遮蔽部材２０には個人情報保護ラベル（商品名）で有ってもよく、又、（図６）不透明なシート状部材２１の面に、透明な樹脂フィルム２２を設け、樹脂フィルム２２の一方の面に粘着層２３を設け、この粘着層２３の面には粘着層２３を保護するセパレーター２４を設けた遮蔽部材２０を用いても良い。
【００１９】  以上の如くであるから、カード等依頼ユーザーＡ（以下ユーザーＡと言う）は携帯電話等を用いてＷＥＢサイトＷに会員情報を入力して会員登録２を行い、ＷＥＢサイトＷの会員となる。
【００２０】  会員登録したカード等依頼ユーザーＡは必要に応じ、携帯電話等を用いて動画撮影３しこの動画撮影３をＷＥＢサイトＷに、ユーザーログイン４を行い、動画投稿（アップロード）５を行う。
それと共に、複数有るカード等のフォーマットの中から好みのカード等１７を選択入力６し、カード等発送先指定７入力し、これらの入力内容をカード等内容確認８をした後、て登録する。
【００２１】  尚、この時入力する個人情報は、例えば、名前、メールアドレス、パスワード、業種、役職、年齢、性別、配偶者の有無、子供の有る無し、住所、興味のあるジャンル、メッセージ利用の目的等を選択方式、又は、打ち込み入力方式等で入力することも可能である。
【００２２】  サービスブロバイダーＢは、カード等依頼ユーザーＡの入力内容を確認８し、ＱＲコードを選択しＱＲコードを生成９し、カード等印刷作成１０（メッセージカード等の印刷）し、受け取りユーザーＣ宛に（カード受け取りユーザーＣ）カード等指定先発送１５する。
【００２３】  又、この時、カード等１７には、動物又は花、又は植物、又は人物その他の絵柄や写真等を印刷することも可能（図示しないが）であり、又、ＱＲコード１９や、使用説明等を印刷するためのスペースを設けることができるのは言うまもない。
従って、印刷されたカード等１７は、ＱＲ１９コードを盗み見されないように遮蔽部材２０で遮蔽隠蔽し、カード等発送指定先７に郵送又はその他の方法で発送１１される。
【００２４】  カード受け取りユーザーＣ（以下ユーザーＣと言う）は、送付されたカード等１７は、ユーザーＣによって遮蔽部材２０を剥離、開封し説明等を確認、（カード開封参照）参照１３し携帯電話でＱＲコード１９を読み取る。
【００２５】  ＱＲコード１９を読み取ることによって、ＷＥＢサイトＷ内に構築されているユーザーＡのマイページＭに自動的に接続され、動画ストリーミング再生１６される。
【００２６】  従って、ユーザーＡからユーザーＣへの動画によるメッセージをユーザーＣは極めて容易に閲覧することができ、この時、ＷＥＢサイトＷ内に構築されているマイページＭは、ＵＲＬが非公開であるから、ユーザーＣ以外の人は見ることができないため、ユーザーＣの為のみに構築することによって、オリジナルの動画メッセージを伝達することが可能で、ユーザーＣの受ける印象は新鮮でリアリティー溢れるメッセージとすることができる。
【００２７】  又、遮蔽部材２０を一度剥離開封すると再び貼り付けることができないため、開封の結果が残り、盗み見する意欲がそがれる他、ＱＲコード１９によって二重にガードすることで、セキュリティーは確保され、ユーザーＡはユーザーＣにメッセージを安心して贈ることができる。
【００２８】  又、遮蔽部材２０を開封することにより、透明フィルム２２はカード等１７の面に残り、カード等１７の面をカバーすため、水漏れや汚れ等によってメッセージやＱＲコード１９が滲む、傷む、又は、ＱＲコードが読み取れない等のトラブルを未然に防止し、便利で臨場感溢れるリアルなメッセージを明確、且つ、非公開状態で伝達することができると共に、ＣＤ又はＤＶＤ等に保存することにより、受け取ったメッセージを永続的に保存することも可能なメッセージの伝達システムとメッセージ媒体を提供することができる。
【００２９】  更に、本発明のシステムを使用するユーザーＡとユーザーＣとの関係は、一人対１人でも良く、又、一人対複数人でも良く、又、複数人対複数人でも可能であることは言うまでも無い。
【実施例】
【００３０】  以下、本発明のメッセージの伝達システムとその媒体の実施例１を図面に基づいて説明すると、図７は本実施例を示す概略図で、予め、本発明のメッセージの伝達システムとその媒体メッセージカード等に印刷を施したカード等１７を説明書と共にセットし、店頭等一般の消費者が購入可能な流通経路で提供する物である。【００３１】  この場合、カード等１７の印刷をはじめ、商品としてのセットはＷＥＢサイト運営者Ｂであってもよく、又、ＷＥＢサイト運営者Ｂの委託を受けた別の業者が行うことも可能であることは言うまでも無く、この時カード等１７にはＱＲコード１９が印刷され、他の面にはあて先等を記載するように構成されているとよい。【００３２】  更に、取扱説明書に於いては、ＷＥＢサイトＷへのアクセス方法や、このカード等１７に記載すべき事柄の説明、及び、パスワードを指定し印刷されていることが望ましく、ＱＲコード１９と指定のパスワードの組み合わせにより、極めて多くのマイページＭが構築されても、セキュリティー体制はい強固に維持管理されることが望ましい。【００３３】  従って、この実施例に於いては、メッセージを送付するユーザーＢ１が店頭等で直接カード等１７を購入する。
以下、本実施例の流れは、店頭販売等を購入Ｂ１し、ＷＥＢサイトアクセス１し、会員情報を入力２し後携帯動画撮影３し、ユーザー動画投稿５し、カード等送付先記載Ｂ６し、カード等内容確認Ｂ７し、カード等送付先発送Ｂ８する。【００３４】  ユーザーＣは、カード等送付先配達９され、カード等開封参照１３し、ＱＲコード携帯読み取り１４し、メッセージ送付ユーザーＢ１動画１５のＷＥＢサイトＷ内に構築されているマイページＭに自動接続１５し、動画ストリーミング再生１６するものである。【００３５】  従って、カード等発送ユーザーＢ１は店頭等で販売される本実施例のメッセージの伝達システムとその媒体のカード等１７を購入し、自分の携帯でＱＲコード１９を読み込み、取扱説明書に従って、前記取扱説明書に記載され指定されているパスワードを入力し、ＷＥＢサイトＷにアクセス１をし、会員情報を入力２して会員となり、その後携帯電話その他の手段によって動画撮影３もしくは、既に撮影済みの動画を携帯を介して動画投稿５し、マイページＭを構築することができ、更には（図示しないが）、ＷＥＢサイトＷ、又は、マイページＭを広告媒体として利用してもよく、例えば、動画と共に宣伝用の画像、又、は音声、又は、これ等を組み合わた動画、又は静止画像を用いて、広告として使用することができるのは言うまでも無く、この広告収入によって、ＷＥＢサイトＷを低価格で運営することも可能である。【００３６】  次に、カード等に受け取りユーザーＣの住所氏名等送付に必要な事項をカード等１７に記載し、又、メッセージ記載するためのスペース１８にメッセージ等を記載した後、遮蔽部材２０でメッセージ並びにＱＲコード１９を覆うように貼着し郵便又はメール便等の手段を用いて発送する。
カード等１７の大きさ、又は形状は、任意の大きさ又は、任意の形状で有ることは言うまでも無い。【００３７】  送付されたメッセージカード等１７を受け取ったユーザーＣは、遮蔽部材２０を剥離し、メッセージ等の内容を読み取り参照し、ＱＲコード１９を携帯電話で読み込むことにより、メッセージ送付ユーザーＢ１の構築したマイページＭに自動接続され、動画のストリーミング再生が始まり、リアリティー溢れるメッセージに出会うことができるもので、必要に応じ、この動画をダウンロードし、又はＣＤ又はＤＶＤに保存する等容易にできるから、永続的に保存することも可能である。【００３８】    従って、この実施例に於いては、メッセージ伝達の流れがの、円滑になり、メッセージ送付ユーザーＢ１が構築した動画メッセージを見る事ができるのは、ＱＲコードを受け取った者、換言すれば、メッセージカード等１７の送付を受けた者のみであるから、メッセージ送付ユーザーＢ１は安心してマイページＭを構築することができる等、セキュリティーの面に於いても、安全性が高められる他、発明を実施するための形態に述べメッセージの伝達システムとその媒体、と同様の効果を得ることができるのは、言うまでも無い。【００３９】  又、上記の携帯撮影Ｂ３に替えて、既に撮影されているホームビデオ、又は、既に撮影されている動画を用い、携帯電話からユーザー動画投稿Ｂ５を行なっても良く、カード等送付ユーザーＢ１が広く一般に普及した携帯電話等を用いて感動や感謝又はその場の雰囲気などを動画としてユーザーＣに伝達できるから、ユーザー１Ｂが体験している、感動や感謝又はその場の雰囲気などを動画として撮影したものであるから、臨場感溢れ、感動や、思い出等が、ユーザーＣに伝わりやすく、リアリティー溢れるメッセージの伝達システムと、その媒体を提供することができる。【００４０】  又、前記マイページＭはユーザーＣのために構築するものであるから、オリジナル性の高いメッセージ動画として伝達することもでき、カード等１７を贈られた人の受ける印象は新鮮で、心に残るものとなる。
更に、前記マイページＭのＵＲＬ、又は、ＱＲコードは非公開であるから、ＱＲコードを受け取った者のみの閲覧となり、ページの改ざんや、盗み見等の被害を防止することができ、思い切った内容のメッセージとすることも可能とで、おのずからカード等１７を贈る意味や効果は極めて大きい。
【産業上の利用分野】
上記の如く、径帯電話関連分野をはじめ、ギフトや流通等幅広く応用可能で、特に近年仕事量の激減に苦しむ印刷物の量の増加も見込める等、期待が持てる。
【符号の説明】Ａ  ユーザー
Ｂ  サービスブロバイダー
Ｃ  ユーザー
１  新規ユーザー登録
２  会員情報入力
３  携帯動画撮影
４  ＷＥＢユーザーログイン
５  ユーザー動画投稿
６  カード等選択入力
７  カード等発送先指定
８  カード等内容確認
９  ＱＲコード生成
１０  カード等印刷作成
１１  カード等指定先発送
１２  カード等指定先配達
１３  カード等開封参照
１４  ＱＲコード携帯読み取り
１５  カード等依頼ユーザー動画
１６  動画ストリーミング再生
Ｂ１  ユーザー
Ｂ６  カード等送付先記載
Ｂ７  カード等内容確認
Ｂ８  カード等送付先発送
１７  カード等
１８  スペース
１９  ＱＲコード
２０  遮蔽部材
２１  不透明なシート状部材
２２  透明な樹脂フィルム
２３  粘着層
２４  セパレーター
Ｍ  マイページ
Ｗ  ＷＥＢサイト
【図１】
2010272099.tif 000003
【図２】
2010272099.tif 000004
【図３】
2010272099.tif 000005
【図４】
2010272099.tif 000006
【図５】
2010272099.tif 000007
【図６】
2010272099.tif 000008
【図７】
2010272099.tif 000009
【図８】
2010272099.tif 000010
【図９】
2010272099.tif 000011
【図１０】
2010272099.tif 000012